(57)【要約】【課題】二重モード圧電フィルタに関し、特に通過帯域両側近傍の減衰量を改善した二重モード圧電フィルタを提供する。【解決手段】１枚の圧電基板上に入出力電極を近接配置してなる二重モード圧電フィルタを所定の間隙を隔して２個配置し、前記圧電基板を容器内に収容し導通固定した後、前記圧電基板を前記２個のフィルタを分割する如く折り割り、折り割り面を介して互いに接していることを特徴とする二重モード圧電フィルタ。【選択図】図１
2004215043.tif 000002
【特許請求の範囲】
【請求項１】
圧電基板上に入出力電極を近接配置してなる二重モード圧電フィルタを同一容器内に２個収容したものであって、
前記２個のフィルタを構成する圧電基板は、折り割り面を介して互いに接していることを特徴とする二重モード圧電フィルタ。
【請求項２】
前記２個のフィルタが縦続接続されるよう配線されていることを特徴とする請求項１に記載の二重モード圧電フィルタ。
【請求項３】
１枚の圧電基板上に入出力電極を近接配置してなる二重モード圧電フィルタを所定の間隙を隔して２個配置し、前記圧電基板を容器内に収容し導通固定した後、前記圧電基板を前記２個のフィルタを分割する如く折り割ることを特徴とする二重モード圧電基板の製造方法。
【請求項４】
容器内に収容する前に、前記圧電基板に折り割り用の溝が形成されていることを特徴とする請求項３に記載の二重モード圧電フィルタの製造方法。
【発明の詳細な説明】
【０００１】
【発明の属する技術分野】本発明は二重モード圧電フィルタに関し、特に通過帯域両側近傍の減衰量を改善した二重モード圧電フィルタに関する。
【０００２】
【従来の技術】圧電基板に水晶を用いた二重モード圧電フィルタ（以下、二重モードフィルタと称す）は小型であること、高減衰が得られること、及び堅牢性を有すること等の理由から、移動体通信機のＩＦフィルタとして広く用いられている。また、近年の携帯電話等の無線通信機器の需要の急激な増加に伴い、通信チャンネルが増加してきており、無線通信機器に用いるＩＦフィルタに対して選択度の改善、即ち通過帯域近傍の高減衰化が要求されている。この要求を実現すべく、パッケージされた２つの二重モードフィルタを縦続接続して１つのパッケージ内に収容したフィルタが用いられてきたが、この構造ではフィルタ形状が大きくなりすぎるという問題があった。この問題を解消するため、１枚の圧電基板上に２つの二重モードフィルタを縦続接続したフィルタが一般的に用いられている。図４（ａ）は、従来の二重モード圧電フィルタの構成を示す平面図、（ｂ）はパッケージの裏面側から圧電フィルタの裏面を見た透視図、（ｃ）はＢ−Ｂ’間の断面図である。なお、実際にはパッケージ３１の開口部が金属カバーによって封止されているが、ここでは図示を省略している。圧電基板３２の一方の面上に所定の間隙を隔した１対の入出力電極３３、３４を配置すると共に、それと対向する面に共通電極３７を設けて二重モードフィルタを形成し、該二重モードフィルタとほぼ同一形状のフィルタ素子、即ち、入出力電極３５、３６及び共通電極を３８とした二重モードフィルタ素子を同じ圧電基板３２上に形成する。なお、入出力電極３３、３４及び共通電極３７から圧電基板３２の端部に向けてリード電極Ｌ１〜Ｌ３が引き出されていて、同様に入出力電極３５、３６及び共通電極３８からもリード電極Ｌ４〜Ｌ６が引き出されている。そして、このリード電極Ｌ１〜Ｌ６とパッケージ内部に設けた６個の電極パッド３９〜４４とを導電性接着剤４６にて導通固定することにより２つのフィルタ素子を縦続接続する。
【０００３】図５は、図４に示すような従来の二重モードフィルタの構造において、入出力電極３３、３４の電極縦幅を０．８５ｍｍ、横幅を０．４０ｍｍ、電極間隙を０．５２ｍｍとし、入出力電極３５、３６の電極縦幅を０．６９ｍｍ、横幅を０．５５ｍｍ、電極間隙を０．４０ｍｍとした場合の二重モードフィルタの通過特性を示した図である。なお、縦軸は減衰量（ｄＢ）を示し１目盛り１０ｄＢ、横軸は周波数（ＭＨｚ）を示し中心周波数４４．８５ＭＨｚ、１目盛り２ＭＨｚとしてある。
【０００４】
【発明が解決しようとする課題】上記のような１枚の圧電基板上に２つのフィルタ素子を配置し縦続接続した二重モードフィルタの場合、一方のフィルタ素子の電極部が励振すると、音響的な結合が起因して他方のフィルタ素子の電極部の励振に影響を及ぼし、図５に示すように通過帯域の両側近傍にスプリアスが発生し減衰量を劣化させてしまう問題があった。フィルタ素子間の励振の相互干渉をなくす方法として、特開平９−４６１７０号公報に１つのパッケージ内に二重モードフィルタ素子を配置した圧電基板を２枚収容して縦続接続したフィルタが開示されており、各フィルタ素子を独立してパッケージ内に配置することで、フィルタ素子間の励振の相互干渉の影響をなくすことができる。しかしながら、圧電基板を２枚用いることは、製造工数がかかるためコスト的に不利であり、また、パッケージの寸法マージンが削られてしまうため、パッケージの小型化に関しても不利である。本発明は上記問題を解決するためになされたものであって、二重モードフィルタのフィルタ素子間の励振の相互干渉をなくして通過帯域両側近傍の減衰量の改善を図り、且つ、低コストで小型な二重モード圧電フィルタを提供することを目的とする。
【０００５】
【課題を解決するための手段】上記目的を達成するために本発明に係る二重モード圧電フィルタの請求項１記載の発明は、圧電基板上に入出力電極を近接配置してなる二重モード圧電フィルタを同一容器内に２個収容したものであって、    前記２個のフィルタを構成する圧電基板は、折り割り面を介して互いに接していることを特徴とする二重モード圧電フィルタである。請求項２記載の発明は、前記２個のフィルタが縦続接続されるよう配線されていることを特徴とする請求項１に記載の二重モード圧電フィルタである。請求項３記載の発明は、１枚の圧電基板上に入出力電極を近接配置してなる二重モード圧電フィルタを所定の間隙を隔して２個配置し、前記圧電基板を容器内に収容し導通固定した後、前記圧電基板を前記２個のフィルタを分割する如く折り割ることを特徴とする二重モード圧電基板の製造方法である。請求項４記載の発明は、容器内に収容する前に、前記圧電基板に折り割り用の溝が形成されていることを特徴とする請求項３に記載の二重モード圧電フィルタの製造方法である。
【０００６】
【発明の実施の形態】以下、本発明を図面に示した実施の形態に基づいて詳細に説明する。図１（ａ）は、本発明の二重モード圧電フィルタの構成を示す平面図、（ｂ）はパッケージの裏面側から圧電フィルタの裏面を見た透視図、（ｃ）はＡ−Ａ’間の断面図である。なお、実際にはパッケージ１の開口部が金属カバーによって封止されているが、ここでは図示を省略している。圧電基板２の一方の面上に所定の間隙を隔した１対の入出力電極３、４を配置すると共に、それと対向する面に共通電極７を設けて二重モードフィルタ（以下、フィルタ１）を形成し、該二重モードフィルタとほぼ同一形状のフィルタ素子、即ち、入出力電極５、６及び共通電極を８とした二重モードフィルタ素子（以下、フィルタ２）を同じ圧電基板２上に形成する。なお、入出力電極３、４及び共通電極７から圧電基板２の端部に向けてリード電極Ｌ１〜Ｌ３が引き出されていて、同様に入出力電極５、６及び共通電極８からもリード電極Ｌ４〜Ｌ６が引き出されている。そして、このリード電極Ｌ１〜Ｌ６とパッケージ内部に設けた６個の電極パッド９〜１４とを導電性接着剤１６にて導通固定することにより２つのフィルタ素子を縦続接続する。本発明の特徴は、フィルタ１とフィルタ２の境界部に基板折り割り用の溝１５を設けたことである。
【０００７】導電性接着剤１６が乾燥し完全に固着した後、図２に示すようにパッケージ上部からフィルタ１とフィルタ２の境界部に外部圧力１７をかけて圧電基板を折り割り、フィルタ１とフィルタ２を独立させる。なお、導電性接着剤が固着後に外部圧力をかけるのは、チップずれや接着剤剥れを防止するためである。
【０００８】このように、１枚の圧電基板上にフィルタ１とフィルタ２を縦続接続させて構成した二重モードフィルタを、フィルタ１とフィルタ２間の境界部に折り割り用の溝を設けて、境界部に外部圧力をかけて基板を折り割ることによって、境界部は折り割り面で接することになるがフィルタ１とフィルタ２が物理的に独立することになるので、フィルタ素子間の励振の相互干渉をなくせるのではないかと本願発明者は考えた。
【０００９】図３は、前記二重モードフィルタの構造において、入出力電極３、４の縦幅を０．８５ｍｍ、横幅を０．４０ｍｍ、電極間隙を０．５２ｍｍとし、入出力電極５、６の縦幅を０．６９ｍｍ、横幅を０．５５ｍｍ、電極間隙を０．４０ｍｍとした場合の二重モードフィルタの通過特性を示した図である。なお、縦軸は減衰量（ｄＢ）を示し１目盛り１０ｄＢ、横軸は周波数（ＭＨｚ）を示し中心周波数４４．８５ＭＨｚ、１目盛り２ＭＨｚとしてある。同図に示す通り、通過帯域低域側の減衰量に関しては、従来の構造は８０ｄＢであったのに対し本発明の構造では９０ｄＢと改善されており、同様に通過帯域高域側の減衰量に関しても従来の構造は４７ｄＢであったのに対し本発明の構造では９０ｄＢと大幅に改善されていることが分かる。
【００１０】前記折り割り用の溝は、例えばダイヤモンドカッターのようなものを使って溝を作り、溝の深さは圧電基板の厚さに応じて適宜変える必要がある。なお、溝は外部より圧力をかけた時に基板を割りやすくするため、パッケージ１の底面と対面する方の圧電基板の面上に設けた方が良い。
【００１１】以上の説明においては、１枚の圧電基板上に２つの二重モードフィルタを配置し縦続接続したフィルタの例について述べてきたが、１枚の圧電基板上に２つ以上の二重モードフィルタを配置し縦続接続したフィルタにおいても各フィルタ素子間の境界部ごとに外部圧力をかけて基板を折り割ることでフィルタ素子間の振動的なアイソレーションがとれ、通過帯域両側近傍において高減衰な特性を得ることができる。また、入出力電極を２つ以上近接配置した多重モード圧電フィルタにおいても本発明が適用できることは言うまでもない。
【００１２】以上のように、本発明の特徴は、１枚の圧電基板に２つの二重モード圧電フィルタ素子を配置し縦続接続したフィルタにおいてフィルタ素子間の境界部に折り割り用の溝を設け、該部に外部圧力をかけて基板を折り割ることにより、境界部は折り割り面で接することになるが２つのフィルタ素子を物理的に独立させたことである。このような構造にすることで、フィルタ素子間の励振の相互干渉がなくなり、通過帯域両側近傍のスプリアスが抑圧された高減衰な特性が得られ、また、圧電基板を１枚しか使用しないため低コストで小型な二重モード圧電フィルタを得ることができる。
【００１３】
【発明の効果】本発明は、以上説明したように構成したので通過帯域両側近傍の減衰量を従来構造のものより大きく改善できたので、本フィルタを携帯電話のＩＦフィルタとして用いれば中間周波数部の特性を改善する上で優れた効果を奏する。
【図面の簡単な説明】
【図１】本発明に係る二重モード圧電フィルタの構成を示す図で、（ａ）は平面図、（ｂ）はパッケージの裏面側から圧電フィルタの裏面を見た透視図、（ｃ）はＡ−Ａ’間の断面図である。
【図２】本発明に係る二重モード圧電フィルタに外部圧力をかけた時の状態を示す図である。
【図３】本発明に係る二重モード圧電フィルタのフィルタ特性を示す図である。
【図４】従来の二重モード圧電フィルタの構成を示す図で、（ａ）は平面図、（ｂ）はパッケージの裏面側から圧電フィルタの裏面を見た透視図、（ｃ）はＢ−Ｂ’間の断面図である。
【図５】従来の横結合二重モード圧電フィルタのフィルタ特性を示す図である。
【符号の説明】
１、  ３１…パッケージ
２、  ３２…圧電基板
３、  ４、５、６、７、８、３３、３４、３５、３６、３７、３８…電極
９、１０、１１、１２、１３、１４、３９、４０、４１、４２、４３、４４…端子電極
１５…溝
１６…導電性接着剤
１７…外部圧力
【図１】
2004215043.tif 000003
【図２】
2004215043.tif 000004
【図３】
2004215043.tif 000005
【図４】
2004215043.tif 000006
【図５】
2004215043.tif 000007